【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
顧客が所有する顧客端末と、
セルフオーダー機能を実現するためのアプリケーションを前記顧客端末に提供すると共に、前記顧客端末によって入力されたオーダー情報を管理する管理サーバーと、が通信可能に構成されたセルフオーダーシステムであって、
前記顧客端末は、
前記管理サーバーにアクセスして、プリペイドカードの識別情報を含むログイン情報を入力するログイン情報入力部を備え、
前記管理サーバーは、
前記顧客端末によって入力された前記ログイン情報に基づいて、前記プリペイドカードが有効であるか否かを判別するカード判別部と、
前記カード判別部により「有効」と判定された場合、前記ログイン情報を入力した前記顧客端末に対し、前記アプリケーションの利用を許可する利用許可部と、を備えたことを特徴とするセルフオーダーシステム。
【請求項２】
前記顧客端末は、
自端末をプリペイドカードとして機能させるプリペイドカード部をさらに備え、
前記プリペイドカードの識別情報は、前記プリペイドカード部で用いられる識別情報であることを特徴とする請求項１に記載のセルフオーダーシステム。
【請求項３】
前記管理サーバーは、
前記セルフオーダー機能を利用した前記顧客端末に対し、インセンティブを付与するインセンティブ付与部をさらに備え、
前記顧客端末は、
前記インセンティブ付与部によって付与された前記インセンティブを取得するインセンティブ取得部をさらに備えたことを特徴とする請求項２に記載のセルフオーダーシステム。
【請求項４】
前記インセンティブ付与部は、前記インセンティブとして、前記プリペイドカード部に対する入金を行うことを特徴とする請求項３に記載のセルフオーダーシステム。
【請求項５】
前記インセンティブ付与部は、前記インセンティブとして、インターネット接続サービスの利用を許可することを特徴とする請求項３に記載のセルフオーダーシステム。
【請求項６】
前記管理サーバーは、
前記プリペイドカードの識別情報ごとに、購入履歴を管理する購入履歴管理部をさらに備え、
前記インセンティブ付与部は、前記購入履歴に応じて、前記インセンティブを付与することを特徴とする請求項３ないし５のいずれか１項に記載のセルフオーダーシステム。
【請求項７】
前記顧客端末は、
前記アプリケーションを用いて、前記オーダー情報を入力するオーダー情報入力部と、
前記オーダー情報の入力結果に基づいて算出される決済金額の決済方法を、前記プリペイドカードを含む複数種類の決済手段の中から選択する決済方法選択部と、を備え、
前記プリペイドカード部は、決済方法として前記プリペイドカードが選択された場合、前記決済金額の決済処理を行うことを特徴とする請求項２ないし６のいずれか１項に記載のセルフオーダーシステム。
【請求項８】
前記管理サーバーは、
前記顧客端末によって入力された前記オーダー情報の取得後、取引コードを生成し、前記顧客端末に送信する取引コード送信部をさらに備え、
前記顧客端末は、
前記管理サーバーから送信された前記取引コードを表示する取引コード表示部をさらに備えたことを特徴とする請求項７に記載のセルフオーダーシステム。
【請求項９】
前記カード判別部は、前記プリペイドカードの識別情報と残高とが紐付けされて記録されたデータベースを参照し、前記残高が所定額以上であるか否かに応じて、前記プリペイドカードが有効であるか否かを判別することを特徴とする請求項１ないし８のいずれか１項に記載のセルフオーダーシステム。
【請求項１０】
前記アプリケーションは、前記管理サーバー上で動作し、
前記顧客端末は、
前記アプリケーションを利用し、仮想端末として機能することを特徴とする請求項１ないし９のいずれか１項に記載のセルフオーダーシステム。
【請求項１１】
顧客が所有する顧客端末と、
セルフオーダー機能を実現するためのアプリケーションを前記顧客端末に提供すると共に、前記顧客端末によって入力されたオーダー情報を管理する管理サーバーと、が通信可能に構成されたセルフオーダーシステムの制御方法であって、
前記顧客端末が、前記管理サーバーにアクセスして、プリペイドカードの識別情報を含むログイン情報を入力するステップと、
前記管理サーバーが、前記顧客端末によって入力された前記ログイン情報に基づいて、前記プリペイドカードが有効であるか否かを判別するステップと、
前記管理サーバーが、前記プリペイドカードを「有効」と判定した場合、前記ログイン情報を入力した前記顧客端末に対し、前記アプリケーションの利用を許可するステップと、を実行することを特徴とするセルフオーダーシステムの制御方法。
【請求項１２】
前記顧客端末が、前記プリペイドカードの識別情報を用いて自端末をプリペイドカードとして機能させるステップをさらに備えたことを特徴とする請求項１１に記載のセルフオーダーシステムの制御方法。
【請求項１３】
前記管理サーバーが、前記セルフオーダー機能を利用した前記顧客端末に対し、インセンティブを付与するインセンティブ付与ステップと、
前記顧客端末が、前記インセンティブ付与ステップによって付与された前記インセンティブを取得するインセンティブ取得ステップと、をさらに備えたことを特徴とする請求項１２に記載のセルフオーダーシステムの制御方法。
【請求項１４】
前記インセンティブ付与ステップは、前記インセンティブとして、前記プリペイドカードに対する入金を行うことを特徴とする請求項１３に記載のセルフオーダーシステムの制御方法。
【請求項１５】
前記インセンティブ付与ステップは、前記インセンティブとして、インターネット接続サービスの利用を許可することを特徴とする請求項１３に記載のセルフオーダーシステムの制御方法。
【請求項１６】
前記管理サーバーが、前記プリペイドカードの識別情報ごとに、購入履歴を管理する購入履歴管理ステップをさら備え、
前記インセンティブ付与ステップは、前記購入履歴に応じて、前記インセンティブを付与することを特徴とする請求項１３ないし１５のいずれか１項に記載のセルフオーダーシステムの制御方法。
【請求項１７】
コンピューターに、請求項１１ないし１６のいずれか１項に記載のセルフオーダーシステムの制御方法における各ステップを実行させるためのプログラム。
【手続補正２】
【補正対象書類名】明細書
【補正対象項目名】発明の名称
【補正方法】変更
【補正の内容】
【発明の名称】セルフオーダーシステム、セルフオーダーシステムの制御方法およびプログラム
【手続補正３】
【補正対象書類名】明細書
【補正対象項目名】０００１
【補正方法】変更
【補正の内容】
【０００１】
本発明は、セルフオーダー機能を有する顧客端末と、顧客端末によって入力されたオーダー情報を管理する管理サーバーと、が通信可能に構成されたセルフオーダーシステム、セルフオーダーシステムの制御方法およびプログラムに関するものである。
【手続補正４】
【補正対象書類名】明細書
【補正対象項目名】０００７
【補正方法】変更
【補正の内容】
【０００７】
本発明は、上記の問題に鑑み、顧客端末を用いてセルフオーダーが可能であると共に、店舗および顧客の双方にとってメリットの高いセルフオーダーシステム、セルフオーダーシステムの制御方法およびプログラムを提供することを目的とする。
【手続補正５】
【補正対象書類名】明細書
【補正対象項目名】００３３
【補正方法】変更
【補正の内容】
【００３３】
以下、添付の図面を参照し、本発明のセルフオーダーシステム、セルフオーダーシステムの制御方法およびプログラムについて説明する。なお、以下に示す実施形態では、本発明のセルフオーダーシステムを、カウンターサービス形式の飲食店に適用した場合について説明する。